(57)【要約】      （修正有）【課題】装飾層を胴台本体の外表面に簡単に設けることができるとともに、不要になった装飾層を簡単に除去することができる、胴台および胴を提供する。【解決手段】胴台１０は、剣道で用いられる胴を構成する主要部品であり、使用者の胴体に沿うように湾曲して形成された胴台本体１６と、胴台本体１６の外表面１６ａを覆うように設けられたシート状の第１基材１８とを備えている。また、胴台１０は、外表面１６ａに対向する第１基材１８の第１面１８ａに設けられ、第１基材１８を外表面１６ａに離脱可能に接合する第１粘着層２０と、第１基材１８の第１面１８ａとは反対側の第２面１８ｂに設けられ、形状、模様および色彩の少なくとも１つが表された第１装飾層２２と、第１装飾層２２の表面２２ａに設けられた透明材料からなる第１被覆層２４とを備えている。【選択図】図２
0003211354.tif 000002
【実用新案登録請求の範囲】
【請求項１】
剣道で用いられる胴を構成する胴台であって、
使用者の胴体に沿うように湾曲して形成された胴台本体と、
前記胴台本体の外表面を覆うように設けられたシート状の第１基材と、
前記外表面に対向する前記第１基材の第１面に設けられ、前記第１基材を前記外表面に離脱可能に接合する第１粘着層と、
前記第１基材の前記第１面とは反対側の第２面に設けられ、形状、模様および色彩の少なくとも１つが表された第１装飾層と、
前記第１装飾層の表面を覆うように設けられた透明材料からなる第１被覆層とを備える、胴台。
【請求項２】
前記第１基材は、ポリ塩化ビニルを主成分とする、請求項１に記載の胴台。
【請求項３】
前記第１装飾層には、形状、模様および色彩の少なくとも１つがインクで表されている、請求項１または２に記載の胴台。
【請求項４】
前記胴台本体の内表面を覆うように設けられたシート状の第２基材と、
前記内表面に対向する前記第２基材の第１面に設けられ、前記第２基材を前記内表面に離脱可能に接合する第２粘着層と、
前記第２基材の前記第１面とは反対側の第２面に設けられ、形状、模様および色彩の少なくとも１つが表された第２装飾層と、
前記第２装飾層の表面を覆うように設けられた透明材料からなる第２被覆層とを備える、請求項１ないし３のいずれか１項に記載の胴台。
【請求項５】
前記第２装飾層には、形状、模様および色彩の少なくとも１つがインクで表されている、請求項４に記載の胴台。
【請求項６】
請求項１ないし５のいずれか１項に記載の胴台と、前記胴台に取り付けられた胸とを備える胴。
【考案の詳細な説明】
【技術分野】
【０００１】
本考案は、剣道用防具の一種である胴に用いられる胴台、および胴に関する。
【背景技術】
【０００２】
従来の剣道用の胴台の一例が特許文献１に記載されている。特許文献１の胴台は、胴台本体と、胴台本体の外表面に設けられた下塗層と、下塗層の表面に設けられた文字や図柄などからなる標示と、標示を被覆する表面保護層とを有している。下塗層は、例えば、胴台本体の外表面にカシュー樹脂ワニスを塗布することによって形成されている。標示は、例えば、下塗層の表面に転写紙の標示を転写することによって形成されている。表面保護層は、例えば、下塗層および標示の表面にカシュー樹脂ワニスを塗布することによって形成されている。したがって、胴台の標示が設けられた部分を竹刀で打たれても標示は剥がれ難い。
【先行技術文献】
【特許文献】
【０００３】
【特許文献１】公開実用平成２−１３０６７６号
【０００４】
しかしながら、上記特許文献１に記載された胴台では、標示が転写紙からの転写などによって形成されているので、標示を胴台本体の外表面に設けることが困難であるという問題があった。また、下塗層および表面保護層がカシュー樹脂ワニスを塗布することなどによって形成されているので、これらを形成する作業が面倒であるとともに、不要になった標示を除去することが困難であるという問題があった。
【考案の概要】
【０００５】
本考案は、上記問題に対処するためになされたものであり、装飾層を胴台本体の外表面に簡単に設けることができるとともに、不要になった装飾層を簡単に除去することができる、胴台および胴を提供することを目的とする。
【０００６】
上記目的を達成するため、本考案に係る胴台の特徴は、剣道で用いられる胴を構成する胴台であって、使用者の胴体に沿うように湾曲して形成された胴台本体と、胴台本体の外表面を覆うように設けられたシート状の第１基材と、外表面に対向する第１基材の第１面に設けられ、第１基材を外表面に離脱可能に接合する第１粘着層と、第１基材の第１面とは反対側の第２面に設けられ、形状、模様および色彩の少なくとも１つが表された第１装飾層と、第１装飾層の表面を覆うように設けられた透明材料からなる第１被覆層とを備えることにある。
【０００７】
この構成では、第１基材がシート状に形成されており、第１基材の第１面に第１粘着層が設けられており、第１基材の第２面に第１装飾層が設けられており、第１装飾層の表面を覆うように第１被覆層が設けられている。したがって、これらの全体を１枚の第１シート部材として取り扱うことが可能であり、第１シート部材を胴台本体の外表面に貼り付けるだけで、胴台本体の外表面に第１装飾層を簡単に設けることができる。また、第１シート部材を胴台本体の外表面から剥がすだけで、不要になった第１装飾層を簡単に除去することができる。さらに、第１シート部材で胴台本体を効果的に保護することができる。
【０００８】
本考案の他の特徴は、第１基材は、ポリ塩化ビニルを主成分とすることにある。
【０００９】
この構成では、第１基材の主成分がポリ塩化ビニルであることから、第１基材に高い強度を持たせることが可能であり、第１基材で胴台本体を効果的に保護することができる。また、ポリ塩化ビニルは、加熱により軟化する熱可塑性樹脂であることから、第１基材を加熱軟化させることによって、第１基材を胴台本体の外表面に簡単に沿わせることができる。
【００１０】
本考案の他の特徴は、第１装飾層には、形状、模様および色彩の少なくとも１つがインクで表されていることにある。
【００１１】
この構成では、インクを吐出する印刷装置を用いて、第１基材の第２面に様々なデザインを施すことができる。つまり、絵画、写真、図形および文字などの画像データを印刷装置に入力し、これらの画像データに基づいて印刷装置からインクを吐出させることによって、吐出対象となる第１基材の第２面に絵画、写真、図形および文字などを複製することができる。
【００１２】
本考案の他の特徴は、胴台本体の内表面を覆うように設けられたシート状の第２基材と、内表面に対向する第２基材の第１面に設けられ、第２基材を内表面に離脱可能に接合する第２粘着層と、第２基材の第１面とは反対側の第２面に設けられ、形状、模様および色彩の少なくとも１つが表された第２装飾層と、第２装飾層の表面を覆うように設けられた透明材料からなる第２被覆層とを備えることにある。
【００１３】
この構成では、第２基材がシート状に形成されており、第２基材の第１面に第２粘着層が設けられており、第２基材の第２面に第２装飾層が設けられており、第２装飾層の表面を覆うように第２被覆層が設けられている。したがって、これらの全体を１枚の第２シート部材として取り扱うことが可能であり、第２シート部材を胴台本体の内表面に貼り付けるだけで、胴台本体の内表面に第２装飾層を簡単に設けることができる。また、第２シート部材を胴台本体の内表面から剥がすだけで、不要になった第２装飾層を簡単に除去することができる。さらに、第２シート部材で胴台本体を効果的に保護することができる。
【００１４】
本考案の他の特徴は、第２装飾層には、形状、模様および色彩の少なくとも１つがインクで表されていることにある。
【００１５】
この構成では、インクを吐出する印刷装置を用いて、第２基材の第２面に様々なデザインを簡単に施すことができる。つまり、絵画、写真、図形および文字などの画像データを印刷装置に入力し、これらの画像データに基づいて印刷装置からインクを吐出させることによって、吐出対象となる第２基材の第２面に絵画、写真、図形および文字などを複製することができる。
【００１６】
上記目的を達成するため、本考案に係る胴の特徴は、上記のいずれかの胴台と、胴台に取り付けられた胸とを備えることにある。
【００１７】
この構成では、上記のいずれかの胴台を備えていることから、装飾層を胴台本体の外表面に簡単に設けることができるとともに、不要になった装飾層を簡単に除去することができる。
【図面の簡単な説明】
【００１８】
【図１】図１（Ａ）は、本考案の一実施形態に係る胴台の構成を示す前方斜め上方から見た斜視図であり、図１（Ｂ）は、本考案の一実施形態に係る胴台の構成を示す後方斜め上方から見た斜視図である。
【図２】図１（Ａ）におけるII−II線断面図である。
【図３】図３（Ａ）は、胴台本体の構成を示す前方斜め上方から見た斜視図であり、図３（Ｂ）は、第１シート部材の構成を示す正面図である。
【図４】胴台本体の外表面に第１シート部材を貼り付ける工程を示す前方斜め上方から見た斜視図である。
【図５】図５（Ａ）は、本考案の他の実施形態に係る胴台の構成を示す後方斜め上方から見た斜視図であり、図５（Ｂ）は、図５（Ａ）におけるＶＢ−ＶＢ線断面図である。
【図６】本考案のさらに他の実施形態に係る胴台の構成を示す後方斜め上方から見た斜視図である。
【考案を実施するための形態】
【００１９】
以下、本考案の一実施形態に係る胴台および胴について図面を参照しながら説明する。なお、以下の説明では、使用者の胴体（図示省略）に対向する側を「後」とし、その反対側を「前」とする。
【００２０】
図１（Ａ）は、本考案の一実施形態に係る胴台１０の構成を示す前方斜め上方から見た斜視図であり、図１（Ｂ）は、胴台１０の構成を示す後方斜め上方から見た斜視図である。図２は、図１（Ａ）におけるII−II線断面図である。
【００２１】
図１（Ａ），（Ｂ）に示す胴台１０は、剣道で用いられる胴１２を構成する主要部品である。図１（Ａ），（Ｂ）中の二点鎖線（仮想線）で示すように、胴台１０を用いて胴１２を製造する際には、胴台１０の上端部に紐（図示省略）などで胸１４が取り付けられる。
【００２２】
図２に示すように、胴台１０は、胴台本体１６と、第１基材１８と、第１粘着層２０と、第１装飾層２２と、第１被覆層２４とを備えている。本実施形態では、第１基材１８、第１粘着層２０、第１装飾層２２および第１被覆層２４が１枚の第１シート部材２６として一体的に構成されており、この第１シート部材２６が、胴台本体１６の外表面１６ａに離脱可能に設けられている。
【００２３】
図３（Ａ）は、胴台本体１６の構成を示す前方斜め上方から見た斜視図であり、図３（Ｂ）は、第１シート部材２６の構成を示す正面図である。図３（Ａ）に示すように、胴台本体１６は、使用者の胴体（図示省略）に沿うように湾曲して形成された板状の部材である。本実施形態の胴台本体１６は、竹刀による打撃に耐え得るように、ＦＲＰ（繊維強化プラスチック）などによって高い強度で形成されている。胴台本体１６の周縁部には、胸１４（図１（Ａ），（Ｂ））などを取り付けるための紐（図示省略）が通される複数の孔２８が形成されている。
【００２４】
図３（Ｂ）に示す第１シート部材２６は、図３（Ａ）に示す胴台本体１６を保護するとともに、胴台本体１６に装飾性を付与するものである。本実施形態において、第１シート部材２６を構成する第１装飾層２２（図２）には、水玉模様Ｗのデザインが施されており、第１シート部材２６が胴台本体１６の外表面１６ａ（図３（Ａ））に貼り付けられることによって、胴台本体１６が水玉模様Ｗで装飾される。
【００２５】
以下には、図２を参照しながら、第１シート部材２６を構成する第１基材１８、第１粘着層２０、第１装飾層２２および第１被覆層２４について説明する。
【００２６】
第１基材１８は、強度の高い合成樹脂材料によって形成されたシート状の部材であり、胴台本体１６の外表面１６ａの少なくとも一部（本実施形態では全部）を覆うように設けられている。第１基材１８の材料は、胴台本体１６の湾曲した外表面１６ａに沿わせるために、加熱により軟化する熱可塑性樹脂を用いることが望ましく、本実施形態の第１基材１８は、熱可塑性樹脂の中でも高い強度を有するポリ塩化ビニルを主成分としている。第１基材１８の厚さは、第１基材１８を胴台本体１６の外表面１６ａに沿わせるときの施工性や、胴台本体１６を保護する強度などを総合的に考慮すると、５０〜２５０μｍの範囲内であることが望ましい。
【００２７】
第１粘着層２０は、第１基材１８を胴台本体１６の外表面１６ａに離脱可能に接合するものであり、胴台本体１６の外表面１６ａに対向する第１基材１８の第１面１８ａに設けられている。図３（Ｂ）に示す第１シート部材２６を胴台本体１６（図３（Ａ））とは別に製造するとき、部品としての第１シート部材２６の第１粘着層２０は、剥離紙（図示省略）で保護されていてもよい。
【００２８】
第１装飾層２２は、形状、模様および色彩の少なくとも１つが表された装飾性を有する層であり、第１基材１８の第１面１８ａとは反対側の第２面１８ｂに設けられている。本実施形態の第１装飾層２２には、形状、模様および色彩の少なくとも１つが、水玉模様Ｗ（図１（Ａ））としてインクで表されている。本実施形態では、水玉模様Ｗの画像データを印刷装置に入力し、この画像データに基づいて印刷装置からインクを吐出させることによって、吐出対象となる第１基材１８の第２面１８ｂに水玉模様Ｗを複製している。インクの種類は、特に限定されるものではないが、第１基材１８と共に引き延ばすことができるように、柔軟性のあるインクであることが望ましい。
【００２９】
第１被覆層２４は、第１装飾層２２を保護するための層であり、透明合成樹脂などの透明材料によって第１装飾層２２の表面２２ａを覆うように設けられている。第１被覆層２４の形態や形成方法は、特に限定されるものではなく、例えば、クリアインクを第１装飾層２２の表面２２ａに吹き付けることによって形成してもよいし、シート状の部材を第１装飾層２２の表面２２ａに貼り付けることによって形成してもよい。
【００３０】
図４は、胴台本体１６の外表面１６ａに第１シート部材２６を貼り付ける工程を示す前方斜め上方から見た斜視図である。図４に示すように、胴台本体１６の外表面１６ａに第１シート部材２６を貼り付ける際には、まず、第１シート部材２６の第１粘着層２０（図２）から剥離紙（図示省略）を取り除く。続いて、胴台本体１６の外表面１６ａに対して第１装飾層２２（図２）の水玉模様Ｗを位置決めし、その後、第１粘着層２０（図２）を外表面１６ａに密着させる。このとき、ヒートガンやドライヤなどで第１基材１８（図２）を加熱軟化させてもよい。胴台本体１６の外表面１６ａに対する第１シート部材２６の貼り付けが完了すると、第１シート部材２６における胴台本体１６の外表面１６ａからはみ出した部分をカッターなどで切除する。
【００３１】
本実施形態によれば、上記構成により、以下の各効果を奏することができる。すなわち、図４に示すように、１枚の第１シート部材２６を胴台本体１６の外表面１６ａに貼り付けるだけで、水玉模様Ｗのデザインが施された第１装飾層２２（図２）を、胴台本体１６の外表面１６ａの広い範囲に簡単に設けることができる。また、第１シート部材２６を胴台本体１６の外表面１６ａから剥がすだけで、不要になった第１装飾層２２（図２）を簡単に除去することができる。さらに、第１シート部材２６で胴台本体１６を効果的に保護することができる。
【００３２】
図２に示す第１基材１８は、ポリ塩化ビニルを主成分としているので、第１基材１８に高い強度を持たせることが可能であり、第１基材１８で胴台本体１６を効果的に保護することができる。また、ポリ塩化ビニルは、加熱により軟化する熱可塑性樹脂であることから、第１基材１８を加熱軟化させることによって、第１基材１８を胴台本体１６の外表面１６ａに簡単に沿わせることができる。
【００３３】
なお、本考案の実施にあたっては、上記実施形態に限定されず、本考案の目的を逸脱しない限りにおいて種々の変更が可能である。
【００３４】
図５（Ａ）は、本考案の他の実施形態に係る胴台３０の構成を示す後方斜め上方から見た斜視図であり、図５（Ｂ）は、図５（Ａ）におけるＶＢ−ＶＢ線断面図である。図１（Ａ），（Ｂ）に示す上記実施形態の胴台１０では、胴台本体１６の外表面１６ａにだけ第１シート部材２６を設けているが、図５（Ａ），（Ｂ）に示す他の実施形態の胴台３０のように、胴台本体１６の外表面１６ａに第１シート部材２６を設けるとともに、胴台本体１６の内表面１６ｂに第２シート部材３２を設けてもよい。
【００３５】
図５（Ｂ）に示すように、第２シート部材３２は、胴台本体１６の内表面１６ｂを覆うように設けられたシート状の第２基材３４と、胴台本体１６の内表面１６ｂに対向する第２基材３４の第１面３４ａに設けられ、第２基材３４を内表面１６ｂに離脱可能に接合する第２粘着層３６とを有している。また、第２シート部材３２は、第２基材３４の第１面３４ａとは反対側の第２面３４ｂに設けられ、形状、模様および色彩の少なくとも１つが表された第２装飾層３８と、第２装飾層３８の表面３８ａを覆うように設けられた透明材料からなる第２被覆層４０とを備えている。
【００３６】
図５（Ｂ）に示す第２シート部材３２は、第２装飾層３８のデザインが星形模様Ｘである点を除いて、図５（Ａ）または図２に示す第１シート部材２６と同様に構成されているので、第２シート部材３２の各構成部分の説明は省略する。
【００３７】
上記の各実施形態では、第１装飾層２２および第２装飾層３８に水玉模様Ｗおよび星形模様Ｘの図形のデザインが施されているが、第１装飾層２２および第２装飾層３８には、形状、模様および色彩の少なくとも１つが表された他のザインが施されてもよい。例えば、赤、青、緑などの色彩のみのデザインが施されてもよいし、玉虫色などの見る角度によって色彩や模様が変化するデザインが施されてもよい。また、絵画（例えば、曾我蕭白や葛飾北斎の絵）や写真や文字をそのまま用いたデザインが施されてもよい。さらに、金属粉や塗料などのインク以外の材料を用いたデザインが施されてもよい。
【００３８】
図６は、本考案のさらに他の実施形態に係る胴台５０の構成を示す後方斜め上方から見た斜視図である。図６に示す胴台５０に示すように、第２シート部材３２を構成する第２装飾層３８のデザインとしては、複数の文字からなる記念文Ｙが採用されてもよい。剣道では、審査に合格することで、称号や段級位が授与されるため、それを記念する記念文を胴台１０に表すことで稽古の励みになる。また、剣道大会などで活躍した場合にも、それを記念する記念文を胴台１０に表すことで稽古の励みになる。これらの記念文は、第２シート部材３２を剥がすことによって簡単に除去することができるので、審査で昇段した場合や、剣道大会でより上位の活躍をした場合には、その都度、記念文を換えることができる。
【００３９】
さらに、第２シート部材３２を構成する第２装飾層３８のデザインとしては、文字からなる使用者の氏名が採用されてもよい。この場合、胴台の使用者が胴台を他人に譲るときに、第２シート部材３２を剥がすことによって氏名を簡単に除去することができる。
【符号の説明】
【００４０】
１０…胴台、１２…胴、１４…胸、１６…胴台本体、１６ａ…外表面、１８…第１基材、１８ａ…第１面、１８ｂ…第２面、２０…第１粘着層、２２…第１装飾層、２２ａ…表面、２４…第１被覆層
【図１】
0003211354.tif 000003
【図２】
0003211354.tif 000004
【図３】
0003211354.tif 000005
【図４】
0003211354.tif 000006
【図５】
0003211354.tif 000007
【図６】
0003211354.tif 000008